(57)【要約】      （修正有）【課題】グロメットがパネルを保持する保持力の低下を抑制する。【解決手段】グロメット２０は、筒部２２と、筒部２２の少なくとも一部の外周面を、隙間３０を空けて取り囲むパネル取付部５０と、パネル取付部５０の一部と筒部２２の一部とを連結する連結部７０と、を備える。パネル取付部５０の外周面に係止凹部４０が設けられ、隙間３０は、パネル取付部５０の内周面の一端と筒部２２とに挟まれた開口３１を有し、連結部７０は、パネル取付部５０の他端側に設けられ、係止凹部４０は、連結部７０と開口３１との間に設けられている。筒部２２は、その外周面に突出部２３を含み、配線部１８が引っ張られることによって突出部２３が連結部７０側への変位を行うように筒部２２が変形可能である。突出部２３は、筒部２２の変形によって当該内周面に当接しつつ連結部７０側に変位するとともに、変位するにつれて当該内周面の一端の径を拡げるように設けられている。【選択図】図３
2017118743.tif 000002
【特許請求の範囲】
【請求項１】
少なくとも１本の電線を含む配線部に外装された状態で、パネルに装着されるグロメットであって、
前記配線部を挿通して保持可能な筒部と、
前記筒部の外周面のうち軸方向における少なくとも一部の外周面との間に隙間を空けて当該少なくとも一部の外周面を取り囲み、前記パネルに形成された貫通孔に取付可能な筒状のパネル取付部と、
前記軸方向における前記パネル取付部の一部と、前記軸方向における前記筒部の一部とを連結する連結部と、
を備え、
前記パネル取付部の外周面には、前記貫通孔の内周縁部に係止可能な環状の係止凹部が設けられ、
前記隙間は、前記軸方向における前記パネル取付部の内周面の一端と前記筒部の外周面とに挟まれた開口を有し、
前記連結部は、前記開口に対して前記軸方向における前記パネル取付部の他端側に設けられており、
前記係止凹部は、前記軸方向において、前記連結部と前記開口との間に設けられ、
前記筒部は、その外周面から突出して前記隙間の前記開口に対向する突出部を含むとともに、前記貫通孔の内周面に前記係止凹部が係止した状態で当該筒部に保持された前記配線部が前記開口側から前記連結部側に向かう方向に引っ張られることによって前記突出部が前記連結部側への変位を行うように前記筒部が変形可能であり、
前記突出部は、前記筒部の前記変形によって前記パネル取付部の内周面に当接しつつ前記隙間において前記連結部側に変位するとともに、前記連結部側に変位するにつれて前記パネル取付部の内周面の前記一端の径を拡げるように設けられている、グロメット。
【請求項２】
請求項１に記載のグロメットであって、
前記突出部は、前記パネル取付部の内周面の前記一端に当接するための当接面を備えており、
前記当接面は、前記連結部側に向かって前記筒部の中心軸との距離が短くなるように当該中心軸に対して傾斜している、グロメット。
【請求項３】
請求項１に記載のグロメットであって、
前記パネル取付部の内周面は、前記連結部側に向かって前記筒部の中心軸との距離が短くなるように当該中心軸に対して傾斜して設けられており、
前記突出部の前記連結部側の部分は、前記筒部の径方向において、前記開口よりも小さい幅に形成され、
前記突出部は、前記筒部の前記変形によって前記連結部側に変位するにつれて、前記パネル取付部の内周面との当接箇所が当該内周面に沿って前記連結部側に移動するように設けられている、グロメット。
【請求項４】
請求項１から請求項３の何れか１つの請求項に記載のグロメットであって、
前記配線部が前記開口側から前記連結部側に向かう方向に引っ張られていない状態において、前記突出部が、前記隙間の外部に位置するように前記筒部の外周面に設けられている、グロメット。
【請求項５】
請求項１から請求項４の何れか１つの請求項に記載のグロメットと、
前記グロメットに挿通されて保持された前記配線部と、
を備える、配線モジュール。
【発明の詳細な説明】
【技術分野】
【０００１】
本発明は、パネルの貫通孔に挿通されるワイヤーハーネスを保護するためのグロメットに関する。
【背景技術】
【０００２】
このようなグロメットとして、特許文献１には、ワイヤーハーネス挿通部（「筒部」）と、ワイヤーハーネス挿通部から径方向外側に突出するように弾性材料によって形成された環状の環状張出部（「パネル取付部」）とを備えるグロメットが開示されている。環状張出部の外周部には、パネルの貫通孔に係止する環状の係止凹部が形成されている。係止凹部に対してワイヤーハーネス挿通部の軸方向一方側に受側環状部が形成されると共に、他方側に挿入側環状部が形成されている。
【０００３】
このグロメットでは、ワイヤーハーネスがワイヤーハーネス挿通部の内部に挿通された状態で、ワイヤーハーネス挿通部のうちスリットが形成された部分の近傍に粘着テープが巻回されることで、ワイヤーハーネス挿通部にワイヤーハーネスが固定される。ワイヤーハーネスが固定されたグロメットを、作業者がパネルの貫通孔に挿入することによって、貫通孔の内周縁部に係止凹部が係止し、グロメットが貫通孔に取り付けられる。これにより、貫通孔に挿通されるワイヤーハーネスが保護される。ワイヤーハーネスとパネルの貫通孔との間にグロメットが配設されることで、ワイヤーハーネスと貫通孔との隙間を通って水又は埃が移動すること等の防止も図られる。
【先行技術文献】
【特許文献】
【０００４】
【特許文献１】特開２０１３−２５８８０１号公報
【発明の概要】
【発明が解決しようとする課題】
【０００５】
図７、図８には、比較技術に係るグロメット２００が示されている。グロメット２００も特許文献１のグロメットと同様に、ワイヤーハーネス１８を挿通する筒部２２０と、筒部２２０から径方向外側に突出するように形成された環状のパネル取付部５００とを備えており、パネル取付部５００の外周部にはパネル１０に形成された貫通孔１２の内周縁部に係止する環状の係止凹部４００が形成されている。筒部２２０の軸方向における一端側には、挿通されたワイヤーハーネス１８を固定するための２つの突片が軸方向に突設されている。ワイヤーハーネス１８の外周に２つの突片が接している状態で、突片の先端の近傍部分において、ワイヤーハーネス１８および突片の上から粘着テープＴが巻き付けられることによってワイヤーハーネス１８がグロメット２００に固定される。
【０００６】
特許文献１のグロメットと、比較技術に係るグロメット２００との何れにおいても、パネル取付部の軸方向における全体が、ワイヤーハーネスを挿通する筒部の外周面と一体化している。このため、ワイヤーハーネスを保持したこれらのグロメットがパネルの貫通孔に取り付けられた状態でワイヤーハーネスが矢印Ｙ１００（図８参照）の方向に引っ張られると、筒部の変形に伴ってパネル取付部は矢印Ｙ２００（図８参照）の方向に引っ張られる。これにより、パネル取付部が縮径して環状の係止凹部も縮径し、係止凹部がパネルの貫通孔の内周面を押圧する力が低下する。このように、特許文献１および比較技術に係るグロメットの何れにおいても、ワイヤーハーネスが引っ張られることによってグロメットがパネルを保持する保持力が低下するといった問題がある。
【０００７】
本発明は、こうした問題を解決するためになされたもので、ワイヤーハーネス（「配線部」）が引っ張られた場合においても、グロメットがパネルを保持する保持力の低下を抑制できる技術を提供することを目的とする。
【課題を解決するための手段】
【０００８】
上記の課題を解決するために、第１の態様に係るグロメットは、少なくとも１本の電線を含む配線部に外装された状態で、パネルに装着されるグロメットであって、前記配線部を挿通して保持可能な筒部と、前記筒部の外周面のうち軸方向における少なくとも一部の外周面との間に隙間を空けて当該少なくとも一部の外周面を取り囲み、前記パネルに形成された貫通孔に取付可能な筒状のパネル取付部と、前記軸方向における前記パネル取付部の一部と、前記軸方向における前記筒部の一部とを連結する連結部と、を備え、前記パネル取付部の外周面には、前記貫通孔の内周縁部に係止可能な環状の係止凹部が設けられ、前記隙間は、前記軸方向における前記パネル取付部の内周面の一端と前記筒部の外周面とに挟まれた開口を有し、前記連結部は、前記開口に対して前記軸方向における前記パネル取付部の他端側に設けられており、前記係止凹部は、前記軸方向において、前記連結部と前記開口との間に設けられ、前記筒部は、その外周面から突出して前記隙間の前記開口に対向する突出部を含むとともに、前記貫通孔の内周面に前記係止凹部が係止した状態で当該筒部に保持された前記配線部が前記開口側から前記連結部側に向かう方向に引っ張られることによって前記突出部が前記連結部側への変位を行うように前記筒部が変形可能であり、前記突出部は、前記筒部の前記変形によって前記パネル取付部の内周面に当接しつつ前記隙間において前記連結部側に変位するとともに、前記連結部側に変位するにつれて前記パネル取付部の内周面の前記一端の径を拡げるように設けられている。
【０００９】
第２の態様に係るグロメットは、第１の態様に係るグロメットであって、前記突出部は、前記パネル取付部の内周面の前記一端に当接するための当接面を備えており、前記当接面は、前記連結部側に向かって前記筒部の中心軸との距離が短くなるように当該中心軸に対して傾斜している。
【００１０】
第３の態様に係るグロメットは、第１の態様に係るグロメットであって、前記パネル取付部の内周面は、前記連結部側に向かって前記筒部の中心軸との距離が短くなるように当該中心軸に対して傾斜して設けられており、前記突出部の前記連結部側の部分は、前記筒部の径方向において、前記開口よりも小さい幅に形成され、前記突出部は、前記筒部の前記変形によって前記連結部側に変位するにつれて、前記パネル取付部の内周面との当接箇所が当該内周面に沿って前記連結部側に移動するように設けられている。
【００１１】
第４の態様に係るグロメットは、第１から第３の何れか１つの態様に係るグロメットであって、前記配線部が前記開口側から前記連結部側に向かう方向に引っ張られていない状態において、前記突出部が、前記隙間の外部に位置するように前記筒部の外周面に設けられている。
【００１２】
第５の態様に係る配線モジュールは、第１から第４の何れか１つの態様に係るグロメットと、前記グロメットに挿通されて保持された前記配線部と、を備える。
【発明の効果】
【００１３】
第１の態様に係る発明によれば、配線部が引っ張られて筒部が変形することにより、突出部は、パネル取付部の内周面に当接しつつ、パネル取付部の内周面の一端と筒部の外周面とに挟まれた開口を有する隙間において連結部側に変位する。そして、突出部は、連結部側に変位するにつれてパネル取付部の内周面の一端の径を拡げる。従って、隙間の開口と、連結部との間に設けられた係止凹部が、パネルの貫通孔の内周面を押圧する力が増加する。これにより、配線部が引っ張られた場合においても、グロメットがパネルを保持する保持力の低下を抑制できる。
【００１４】
第２の態様に係る発明によれば、突出部が隙間において連結部側に変位するにつれて、パネル取付部の内周面の一端が突出部の当接面に当接しつつ、傾斜した当接面に沿って筒部の径方向外側に移動するので、内周面の一端の径が拡がる。従って、パネル取付部の内周面が中心軸と平行に形成されている場合でも、グロメットがパネルを保持する保持力の低下を抑制できる。
【００１５】
第３の態様に係る発明によれば、突出部は、筒部の変形によって連結部側に変位するにつれて、傾斜したパネル取付部の内周面との当接箇所が当該内周面に沿って連結部側に移動する。従って、突出部の突出幅を小さくしても、パネル取付部の内周面の一端の径を拡げて、グロメットがパネルを保持する保持力の低下を抑制できる。
【００１６】
第４の態様に係る発明によれば、グロメットは、配線部が開口側から連結部側に向かう方向に引っ張られていない状態において、突出部が、隙間の外部に位置するように筒部の外周面に設けられている。従って、パネル取付部の内周面の一端の径は拡げられず、係止凹部が、パネルの貫通孔の内周面を押圧する力が増加しないので、係止凹部の係止を解除してグロメットをパネルから取り外し易くなる。
【００１７】
第５の態様に係る発明によれば、グロメットに挿通されて保持された配線部が引っ張られた場合でも、グロメットがパネルを保持する保持力の低下を抑制できるので、パネルの貫通孔から外れにくい配線モジュールを提供できる。
【図面の簡単な説明】
【００１８】
【図１】実施形態に係るグロメットの一例を示す斜視図である。
【図２】図１のグロメットのＡ１−Ａ１切断線における断面斜視図である。
【図３】図２のグロメットを備える配線モジュールをパネルに取り付けた状態を示す正面断面図である。
【図４】図３のグロメットのパネル取付部の近傍を拡大した図である。
【図５】ワイヤーハーネスが引っ張られた状態における図３のグロメットのパネル取付部の近傍を拡大した図である。
【図６】他の実施形態に係るグロメットのパネル取付部の近傍を拡大した正面断面図である。
【図７】比較技術に係るグロメットを示す斜視図である。
【図８】図７のグロメットのＡ２−Ａ２切断線における正面断面図である。
【発明を実施するための形態】
【００１９】
以下、本発明の実施形態を図面に基づいて説明する。図面では同様な構成および機能を有する部分に同じ符号が付され、下記説明では重複説明が省略される。
【００２０】
＜１．実施形態１について＞
以下、実施形態１に係るグロメット２０、配線モジュール１について説明する（図１〜図５参照）。配線モジュール１は、グロメット２０と、配線部としてのワイヤーハーネス１８とを備える（図３参照）。ワイヤーハーネス１８は、グロメット２０に挿通された状態で、例えば、筒部２２と一緒に粘着テープＴを巻き付けられることなどによってグロメット２０に保持される。
【００２１】
ワイヤーハーネス１８は、複数の電線（図示省略）が束ねられることによって構成されている。ワイヤーハーネス１８の各電線の端部には、コネクタ（図省略）が接続されている。ワイヤーハーネス１８を含む配線モジュール１が車両に組込まれた状態で、各電線の端部に取付けられたコネクタが車両に搭載された各種電気部品に接続される。すなわち、配線モジュール１は、車両に搭載される諸電気部品同士を接続する部品として用いられる。
【００２２】
なお、ワイヤーハーネス１８には、光ファイバコード等が含まれていてもよい。また、グロメット２０の収容対象となる配線部は、上記のように複数の電線が束ねられたものに限られず、１本の電線のみによって構成されていてもよい。
【００２３】
グロメット２０は、全体がエラストマー（ゴム等）等の弾性材料によって形成された部材である。グロメット２０は、筒部２２とパネル取付部５０と連結部７０とを備える。グロメット２０全体をエラストマー（ゴム等）等の弾性材料によって形成した場合、部品点数を削減でき、組付工数を削減できるというメリットがある。グロメット２０は、ワイヤーハーネス１８に外装された状態で、車両のパネル１０に装着される。
【００２４】
筒部２２は、ワイヤーハーネス１８を挿通可能な筒状に形成されている。好ましくは、筒部２２の内径は、ワイヤーハーネス１８の外径よりも小さく設定されている。これにより、筒部２２を広げるように弾性変形させた状態で、筒部２２内にワイヤーハーネス１８を挿通し、この後、筒部２２を弾性収縮させることで、筒部２２がワイヤーハーネス１８を締付けてワイヤーハーネス１８に固定される。すなわち、筒部２２は、ワイヤーハーネス１８を挿通して保持可能な筒状部材である。
【００２５】
筒部２２の一端部には、その中心軸ａ１方向に沿って伸びる一対のスリット２２Ｓが形成されている。ワイヤーハーネス１８が筒部２２内に挿通された状態で、筒部２２のうちスリット２２Ｓが形成された部分近傍に粘着テープが巻回されることで、筒部２２に対するワイヤーハーネス１８のより確実な位置決め固定がなされる。
【００２６】
パネル取付部５０は、筒部２２の外周面を取り囲んで、筒状に形成されている。より詳細には、パネル取付部５０は、筒部２２の外周面のうち中心軸ａ１方向における少なくとも一部の外周面との間に隙間３０を空けて当該少なくとも一部の外周面を取り囲んでいる。パネル取付部５０の外周面には、パネル１０に形成された貫通孔１２の内周縁部に係止可能な環状の係止凹部４０が設けられている。パネル取付部５０は、環状部５２と環状拡径部５４を備えている。筒部２２の中心軸ａ１方向に沿って、パネル取付部５０の一端側（隙間３０の開口３１側）から他端側（連結部７０側）に、環状拡径部（「ガイド部」）５４、環状部５２が係止凹部４０を間に挟んでこの順に設けられている。
【００２７】
ワイヤーハーネス１８に外装されたグロメット２０は、環状拡径部５４と環状部５２とのうち環状拡径部５４側から貫通孔１２に挿入される。環状拡径部５４の外周面は、パネル取付部５０の一端から他端側へ拡径するように傾斜し、中心軸ａ１方向における係止凹部４０の近傍部分が、最も径が大きい頂部をなしている。環状拡径部５４の外周面は、頂部から環状部５２との連続位置まで、当該外周面を縮径するように傾斜している。環状部５２は、中心軸ａ１に平行な外周面を備えて筒状に形成されている。連結部７０は、筒部２２と、パネル取付部５０のうち環状部５２とを連結している。環状部５２のうち係止凹部４０に対向する面は、中心軸ａ１に垂直に延在している。この面の外周部から、環状の止水リップ５８が立設されている。
【００２８】
貫通孔１２を通してワイヤーハーネス１８を配索する作業においては、筒部２２のスリット２２Ｓ側からグロメット２０をパネル１０の貫通孔１２に通して、パネル取付部５０の他端側から一端側に向かう方向にグロメット２０を引っ張られる。これにより、貫通孔１２の周縁が環状拡径部５４に外周面に沿って、外周面が縮径するように環状拡径部５４を撓ませながら係止凹部４０側へ移動し、環状拡径部５４の頂部を越えて、係止凹部４０の底部に落ち込んで、図３に示すように係止凹部４０に係止する。隙間３０が形成されているので、環状拡径部５４は、縮径するように撓み易くなっている。係止凹部４０の断面形状は、Ｌ字形状であるが、例えば、Ｕ字形状が採用されてもよいし、貫通孔１２の周縁にバーリングが形成されている場合には、バーリングを収容可能な形状が採用される。また、パネル取付部５０の外形は、長円形状の貫通孔１２の内周面に沿って長円形状に形成されているが、貫通孔１２の形状が、円形状、多角形状など他の形状であれば、貫通孔１２の形状に応じた形状とされる。
【００２９】
係止凹部４０が貫通孔１２に係止した状態では、貫通孔１２の内周面が係止凹部４０の底部に当接し、環状拡径部５４がパネル１０の一主面のうち貫通孔１２の周縁部に当接し、環状部５２がパネル１０の他の主面のうち貫通孔１２の周縁部に当接する。これにより、パネル１０の貫通孔１２の内周縁部は、係止凹部４０において、環状部５２と環状拡径部５４とによって挟持されて係止される。係止凹部４０が貫通孔１２を係止すると、止水リップ５８は、パネル取付部５０の径方向外側に倒れ、止水リップ５８の先端は、パネル１０の他の主面に当接しつつパネル取付部５０の径方向外側に拡がる。これにより、止水リップ５８の先端がパネル１０の他の主面に密着して止水が図られる。
【００３０】
係止凹部４０が貫通孔１２の内周縁部に係止することによって、パネル１０に取り付けられる。換言すれば、パネル取付部５０は、貫通孔１２の周縁部（内周縁部）に取付可能に形成されている。隙間３０は、筒部２２の軸方向におけるパネル取付部５０の内周面５６の一端５１と筒部２２の外周面とに挟まれた開口３１を有している。内周面５６は、中心軸ａ１と略平行に設けられている。
【００３１】
連結部７０は、筒部２２の軸方向におけるパネル取付部５０の一部と、当該軸方向における筒部２２の一部とを一体的に連結している。図２、図３の例では、連結部７０は、筒部２２の外周面の一部と、パネル取付部５０の内周面５６の一部とを連結している。パネル取付部５０は、当該少なくとも一部の外周面から放射状に延設された複数の板状部材２６によっても、筒部２２に連結されている。複数の板状部材２６は、隙間３０において、パネル取付部５０の周方向に分散して設けられている。
【００３２】
連結部７０は、開口３１に対して軸方向におけるパネル取付部５０の他端側に設けられており、係止凹部４０は、筒部２２の軸方向において、連結部７０と開口３１との間に設けられている。
【００３３】
筒部２２は、その外周面から突出して隙間３０の開口３１に対向する突出部２３を含む。筒部２２は、貫通孔１２の内周面に係止凹部４０が係止した状態で当該筒部２２に保持されたワイヤーハーネス１８が開口３１側から連結部７０側に向かう方向（図４、図５の矢印Ｙ１０方向）に引っ張られることによって突出部２３が連結部７０側（図４、図５の矢印Ｙ１２方向）への変位を行うように変形可能である。
【００３４】
突出部２３は、筒部２２の変形によってパネル取付部５０の内周面５６に当接しつつ隙間３０において連結部７０側に変位する。突出部２３は、連結部７０側に変位するにつれてパネル取付部５０の内周面５６の一端５１の径を拡げるように設けられている。
【００３５】
具体的には、グロメット２０の突出部２３は、パネル取付部５０の内周面５６の一端５１に当接するための当接面２３ａを備えている。当接面２３ａは、連結部７０側に向かって筒部２２の中心軸ａ１との距離が短くなるように中心軸ａ１、すなわち突出部２３の変位方向に対して傾斜している。
【００３６】
貫通孔１２の内周面に係止凹部４０が係止した状態で当該筒部２２に保持されたワイヤーハーネス１８が開口３１側から連結部７０側に向かう方向（矢印Ｙ１０方向）に引っ張られると、突出部２３の当接面２３ａが、パネル取付部５０の内周面５６の一端（先端）に当接しつつ、連結部７０側に変位する。これにより、パネル取付部５０の一端は、傾斜した当接面２３ａに沿って、筒部２２の径方向外側に移動し、パネル取付部５０の一端が拡径される。係止凹部４０は、中心軸ａ１方向において、パネル取付部５０の一端と連結部７０との間に設けられているので、係止凹部４０が貫通孔１２の内周を、筒部２２の径方向外側に押圧する力が増加する。これにより、パネル取付部５０がパネル１０を保持する保持力の低下が抑制される。
【００３７】
上述のように、グロメット２０のうち筒部２２とパネル取付部５０と連結部７０とは、パネル１０に取り付けられる固定部をなしている。また、筒部２２の他端部には、蛇腹２２Ｊが形成されている。山部と谷部が交互に並ぶように複数の蛇腹２２Ｊが設けられていてもよく、その先端に筒部２２とパネル取付部５０とが連結部７０によって連結された固定部がさらに設けられてもよい。このように、２つの固定部が蛇腹部によって接続されれば、２つのパネルにそれぞれ設けられた貫通孔においてグロメット２０を各パネルに取り付けることができる。２つの貫通孔の相対的な位置関係が変化する場合においても、グロメット２０の２つの固定部が各パネルに取り付けられた状態で蛇腹部が変形することによって、グロメット２０に挿通されたワイヤーハーネス１８を保持して保護することができる。さらに、２つの貫通孔の相対的な位置関係の変化に伴って、ワイヤーハーネス１８が引っ張られた場合においても、グロメット２０によるパネルの保持力の低下が抑制される。
【００３８】
ワイヤーハーネス１８が開口３１側から連結部７０側に向かう方向に引っ張られていない状態（「初期状態」）において、突出部２３は、好ましくは、隙間３０の外部に位置するように筒部２２の外周面に設けられる。これにより、初期状態において、突出部２３は、パネル取付部５０に当接せず、係止凹部４０が貫通孔１２を押圧する力も増加しないので、グロメット２０をパネル１０から取り外しやすくなる。また、グロメット２０の成形も容易となる。なお、当該初期状態において、突出部２３の連結部７０側の一部が、パネル取付部５０に当接することなく開口３１から隙間３０に入り込んでいてもよい。また、当該初期状態において、突出部２３の連結部７０側の一部が隙間３０に入り込むとともに、当接面２３ａがパネル取付部５０の一端を拡径しない程度にパネル取付部５０に当接するように、突出部２３が設けられていてもよい。
【００３９】
＜２．実施形態２について＞
以下、実施形態２に係るグロメット２０Ａ、配線モジュール１Ａについて、図６を参照しつつ説明する。グロメット２０Ａは、筒部２２Ａ、パネル取付部５０Ａ、および連結部７０Ａを備えている。グロメット２０Ａの筒部２２Ａ、パネル取付部５０Ａ、連結部７０Ａは、グロメット２０の筒部２２、パネル取付部５０、連結部７０に対応する機能を有する部分である。配線モジュール１Ａは、グロメット２０Ａと、配線部としてのワイヤーハーネス１８とを備える（図６参照）。
【００４０】
筒部２２Ａは、筒部２２に設けられた突出部２３に代えて突出部２３Ａを備えることを除いて筒部２２と同様に構成されている。パネル取付部５０Ａは、内周面５６Ａが筒部２２Ａの中心軸ａ１に対して傾斜していることを除いて、パネル取付部５０とほぼ同様の構成を備えている。連結部７０Ａは、パネル取付部５０Ａが傾斜していることに対応して、連結部７０とは若干形状が異なっているが、連結部７０と同様に、筒部２２Ａとパネル取付部５０Ａとを連結する。
【００４１】
グロメット２０Ａの各部分のうち、グロメット２０を構成する部分の符号に文字Ａを付け加えた符号によって示される部分は、対応する符号が付されたグロメット２０の部分に対応する機能を有している。従って、グロメット２０Ａの突出部２３Ａが連結部７０Ａ側への変位によって、パネル取付部５０Ａの内周面５６Ａの中心軸ａ１方向における一端５１Ａ（中心軸ａ１方向における内周面５６Ａの両端のうち連結部７０Ａとは反対側の端）を拡径する動きに関連する構成等について以下に説明する。この説明を除いて、グロメット２０Ａの各部の説明は省略する。
【００４２】
グロメット２０Ａのパネル取付部５０Ａの内周面５６Ａは、連結部７０Ａ側に向かって筒部２２Ａの中心軸ａ１との距離が短くなるように中心軸ａ１に対して傾斜して設けられている。突出部２３Ａの連結部７０Ａ側の部分は、筒部２２Ａの径方向において、開口３１Ａよりも小さい幅に形成されている。突出部２３Ａのうち連結部７０Ａに対向する面は、中心軸ａ１に垂直に形成されているが、傾斜していてもよい。筒部２２Ａの変形によって連結部７０Ａ側に変位するにつれて、パネル取付部５０Ａの内周面５６Ａとの当接箇所５７Ａが内周面５６Ａに沿って連結部７０Ａ側に移動するように、突出部２３Ａは設けられている。
【００４３】
貫通孔１２の内周面に係止凹部４０Ａが係止した状態で筒部２２Ａに保持されたワイヤーハーネス１８が開口３１Ａ側から連結部７０Ａ側に向かう方向（図６の矢印Ｙ１０方向）に引っ張られると、突出部２３Ａの連結部７０Ａ側の部分は、パネル取付部５０Ａの内周面５６Ａの一端（先端）５１Ａに当接しつつ、連結部７０Ａ側に変位する。換言すれば、突出部２３Ａと、内周面５６Ａとの当接箇所５７Ａが、連結部７０Ａ側に変位する。当接箇所５７Ａが連結部７０Ａ側に変位するにつれて、パネル取付部５０Ａの一端５１Ａが拡径される。係止凹部４０Ａは、中心軸ａ１方向において、パネル取付部５０Ａの一端と連結部７０Ａとの間に設けられているので、係止凹部４０Ａが貫通孔１２の内周を、筒部２２Ａの径方向外側に押圧する力が増加する。これにより、パネル取付部５０Ａがパネル１０を保持する保持力の低下が抑制される。
【００４４】
以上のように構成された本実施形態１（２）に係るグロメットによれば、ワイヤーハーネス１８が引っ張られて筒部２２（２２Ａ）が変形することにより、突出部２３（２３Ａ）は、パネル取付部５０（５０Ａ）の内周面５６（５６Ａ）に当接しつつ、パネル取付部５０（５０Ａ）の内周面５６（５６Ａ）の一端５１（５１Ａ）と筒部２２（２２Ａ）の外周面とに挟まれた開口３１（３１Ａ）を有する隙間３０（３０Ａ）において連結部７０（７０Ａ）側に変位する。そして、突出部２３（２３Ａ）は、連結部７０（７０Ａ）側に変位するにつれてパネル取付部５０（５０Ａ）の内周面５６（５６Ａ）の一端５１（５１Ａ）の径を拡げる。従って、隙間３０（３０Ａ）の開口３１（３１Ａ）と、連結部７０（７０Ａ）との間に設けられた係止凹部４０（４０Ａ）が、パネル１０の貫通孔１２の内周面を押圧する力が増加する。これにより、ワイヤーハーネス１８が引っ張られた場合においても、グロメットがパネル１０を保持する保持力の低下を抑制できる。
【００４５】
また、以上のように構成された本実施形態１に係るグロメットによれば、突出部２３が隙間３０において連結部７０側に変位するにつれて、パネル取付部５０の内周面５６の一端５１が突出部２３の当接面２３ａに当接しつつ、傾斜した当接面２３ａに沿って筒部２２の径方向外側に移動するので、内周面５６の一端５１の径が拡がる。従って、パネル取付部５０の内周面５６が中心軸と平行に形成されている場合でも、グロメットがパネル１０を保持する保持力の低下を抑制できる。
【００４６】
また、以上のように構成された本実施形態２に係るグロメットによれば、突出部２３Ａは、筒部２２Ａの変形によって連結部７０Ａ側に変位するにつれて、傾斜したパネル取付部５０Ａの内周面５６Ａとの当接箇所５７Ａが、当該内周面５６Ａに沿って連結部７０Ａ側に移動する。従って、突出部２３Ａの突出幅を小さくしても、パネル取付部５０Ａの内周面５６Ａの一端５１Ａの径を拡げて、グロメットがパネル１０を保持する保持力の低下を抑制できる。
【００４７】
以上のように構成された本実施形態１（２）に係るグロメットによれば、ワイヤーハーネス１８が開口３１（３１Ａ）側から連結部７０（７０Ａ）側に向かう方向に引っ張られていない状態において、突出部２３（２３Ａ）が、隙間３０（３０Ａ）の外部に位置するように筒部２２（２２Ａ）の外周面に設けられている。従って、パネル取付部５０（５０Ａ）の内周面５６（５６Ａ）の一端５１（５１Ａ）の径は拡げられず、係止凹部４０（４０Ａ）が、パネル１０の貫通孔１２の内周面を押圧する力が増加しない。これにより、係止凹部４０（４０Ａ）の係止を解除してグロメットをパネル１０から取り外し易くなる。
【００４８】
以上のように構成された本実施形態１（２）に係る配線モジュールによれば、グロメットに挿通されて保持されたワイヤーハーネス１８が引っ張られた場合でも、グロメットがパネル１０を保持する保持力の低下を抑制できるので、パネル１０の貫通孔１２から外れにくい配線モジュールを提供できる。
【００４９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５０】
１，１Ａ  配線モジュール
１０  パネル
１８  ワイヤーハーネス（配線部）
２０，２０Ａ  グロメット
２２，２２Ａ  筒部
２３，２３Ａ  突出部
２３ａ  当接面
３０，３０Ａ  隙間
３１，３１Ａ  開口
４０，４０Ａ  係止凹部
５０，５０Ａ  パネル取付部
５１，５１Ａ  一端
５２，５２Ａ  環状部
５４，５４Ａ  環状拡径部
５６，５６Ａ  内周面
５８  止水リップ
７０，７０Ａ  連結部
【図１】
2017118743.tif 000003
【図２】
2017118743.tif 000004
【図３】
2017118743.tif 000005
【図４】
2017118743.tif 000006
【図５】
2017118743.tif 000007
【図６】
2017118743.tif 000008
【図７】
2017118743.tif 000009
【図８】
2017118743.tif 000010